(57)【要約】【課題】  対称タイプの対物レンズ駆動装置のアクチュエータにおいて、不要共振をなくすとともにフォーカス及びチルト方向の加速度感度を高めることができ、高倍速化することができる対物レンズ駆動装置を提供することにある。【解決手段】  対物レンズ駆動装置は、対物レンズホルダ、第１のサスペンションワイヤを介して前記対物レンズホルダを弾性的に支持するダンパベースと、チルティングコイル６及びフォーカシングコイル７を有するコイル部材１６と、前記対物レンズホルダの第１の方向の両側両端付近に夫々設けられたトラッキングコイル４と、前記第１の方向で、少なくとも前記コイル部材１６を挟み込むように、前記対物レンズホルダの前記第１の方向の両端に隣接して配置された２対４個の主磁石２と、前記第１の方向に前記一対のコイル部材に夫々挟み込まれるように配置された２個の補助磁石１とを備えている。【選択図】      図２
2005158161.tif 000002
【特許請求の範囲】
【請求項１】
対物レンズを保持する対物レンズホルダと、
前記対物レンズホルダの前記対物レンズの周囲に対称的にフォーカス方向である第１の方向とトラッキング方向である第２の方向に直交する第３の方向の両側両端付近に収容されるチルティングコイル及びフォーカシングコイルを有するコイル部材と、前記対物レンズホルダの前記第３の方向の両側両端付近に夫々設けられたトラッキングコイルと、
前記第３の方向で、少なくとも前記コイル部材を挟み込むように、前記対物レンズホルダの前記第３の方向の両端に隣接して配置された主磁石と、
前記第３の方向に前記一対のコイル部材に夫々挟み込まれるように配置された補助磁石とを備えていることを特徴とする対物レンズ駆動装置。
【請求項２】
請求項１記載の対物レンズ駆動装置は、前記第３の方向に並んで配置された一対の前記主磁石と、前記補助磁石とは互いに打ち消し合う方向の磁界を発生するように配置されるとともに、前記第３の方向に交差すトラッキング方向である前記第２の方向に対向する夫々の主磁石及び補助磁石は互いに逆の極性を持つように配置されていることを特徴とする対物レンズ駆動装置。
【請求項３】
請求項１記載の対物レンズ駆動装置において、前記対物レンズホルダと、第１のサスペンションワイヤを介して前記対物レンズホルダと弾性的に接続されるダンパーベースとを第３の方向に隣接して搭載するヨークベースを備え、前記ヨークベースは前記レンズホルダの前記コイル部材を夫々貫通するヨークを備えていることを特徴とする対物レンズ駆動装置。
【請求項４】
請求項１記載の対物レンズ駆動装置において、第３の方向と平行に配置される第１のサスペンションワイヤは、４本であり、２本ずつフォーカス方向である前記第３の方向に並んで前記対物レンズホルダの両側に設けられるとともに、さらに、前記対物レンズホルダの中央部付近に一端側が夫々固定され、他端を前記ダンパベースに固定された２本の第２のサスペンションワイヤを備えていることを特徴とする対物レンズ駆動装置。
【請求項５】
請求項１乃至４の内のいずれか一つに記載の対物レンズ駆動装置を備えていることを特徴とする光ピックアップ。
【発明の詳細な説明】
【技術分野】
【０００１】
本発明は、光ディスクドライブの光ピックアップに用いられる対物レンズ駆動装置に関し、特にその対物レンズホルダに関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、Ｂｌｕ−ｒａｙ、ＡＯＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【０００５】
従来の対物レンズ駆動装置は、フォーカシング制御、トラッキング制御及びチルティング制御を可能にするため、対物レンズを保持する対物レンズホルダを、複数のサスペンションワイヤによって弾性支持している。
【０００６】
また、対物レンズホルダに、フォーカシングコイル、トラッキングコイル及びチルティングコイルを巻回しあるいは取り付け、これらのコイルを磁気回路のギャップ内に部分的に位置させている。このような構成において、各コイルに流れる電流を制御することで、従来の対物レンズ駆動装置は、対物レンズの位置及び傾きを微調整することができる（例えば、特許文献１、参照。）。
【０００７】
図５は他の従来技術による対物レンズ駆動装置の斜視図（特許文献２、参照）である。また、図６は、図５の対物レンズ駆動装置の金属製トップカバー５７を取り外した状態を示す斜視図である。
【０００８】
図５、図６に示すように、対物レンズ駆動装置は、ベース５１と、対物レンズ５２と、対物レンズホルダ５３と、ベース５１に対して対物レンズホルダ５３を揺動可能に支持する４本（２本のみ図示）のサスペンションワイヤ５４と、ベース５１に固定された一対のヨーク５５及び各ヨーク５５に固定された磁石５６とを有している。
【０００９】
この対物レンズ駆動装置は、図示しない光ディスクドライバの光学ベースに搭載され、光ピックアップを構成する。光学ベースは、光ディスク装置に導入された光ディスクの半径方向（トラッキング方向Ｔｒ）に沿って移動可能にガイドバーに取り付けられている。また、光学ベースには、レーザダイオード、光検出器、及び所定の光学系が取り付けられており、レーザダイオードからのレーザ光が対物レンズ５２を通して光ディスクに照射され、その反射光が光検出器に導かれるように構成されている。
【００１０】
対物レンズホルダ５３には、後述するように、チルティングコイル、フォーカシングコイル及びトラッキングコイルが巻き回されており、これらのコイルに流す電流を適切に制御することにより、対物レンズホルダ５３は、ヨーク５５及び磁石５６が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００１１】
対物レンズホルダ５３は、図７に示すような上側部材６０と、図８に示すような下側部材６５とからなる。
【００１２】
図７に示すように、上側部材６０は、概略正方形の板状（下側部材６５に対向する面が略四角形）であり、その中央部には、対物レンズを取り付けるための貫通孔６１が形成されている。また、上側部材６０の四隅近傍には、ヨーク５５の一部を挿入するための４つの方形穴６２が対称的な位置に形成されている。なお、ヨーク５５は、断面Ｕ字形状であり、対向する一面が２つの垂直方向の棒片からなる。
【００１３】
上側部材６０には、また、トラッキング方向（Ｔｒ）両側にサスペンションワイヤ５４を固定するための固定部６３が形成されている。さらに、上側部材６０のタンジェンシャル方向（Ｔｇ）両側には、その端部近傍に、トラッキングコイルを巻回すための４個の第１のフック部６４が、タンジェンシャル方向に沿って突出するように形成されている。
【００１４】
一方、下側部材６５は、図８に示すように、概略正方形状（上側部材６０に対向する面が略四角形）の板状部６６と、この板状部６６の一面から垂直方向に突き出したチルティングコイル巻枠部６７とを有している。板状部６６のサイズは、少なくともタンジェンシャル方向（Ｔｇ）に関して上側部材６０と同一である。
【００１５】
板状部６６の中央には、レーザ光を通過させるための貫通孔６９が形成されている。また、板状部６６の四隅近傍には、ヨーク５５の一部を挿入するための４つの方形穴が形成されている。チルティングコイル巻枠部６７は、この方形穴を不完全に取り囲むように形成されている。
【００１６】
さらに、下側部材６５には、そのタンジェンシャル方向（Ｔｇ）両側には、その端部近傍に、トラッキングコイルを巻回すための４個の第２のフック部６８が、タンジェンシャル方向に沿って突出するように形成されている。
【００１７】
上述した上側部材６０及び下側部材６５は、互いに組み合わされて対物レンズホルダ５３を構成するが、これらを組み合わせる前に、チルティングコイル７０及びフォーカシングコイル７１が、この順番でチルティングコイル巻枠部６７に巻回される。
【００１８】
図８に示すように、チルティングコイル７０は、４個のチルティングコイル巻枠部６７の夫々に順番に巻回される。この後、これらチルティングコイル７０が巻回された４個のチルティングコイル巻枠部６７を単一の巻芯として、フォーカシングコイル７１が巻回される。
【００１９】
こうして、下側部材６５にチルティングコイル７０及びフォーカシングコイル７１が巻回された後、上側部材６０が下側部材６５に固定される。
【００２０】
組み合わせた状態で、この対物レンズホルダ５３全体をフォーカシングコイル巻枠部とみなすと、上側部材６０及び下側部材６５の板状部６６がフランジに相当する。４個のチルティングコイル巻枠部６７が、その巻芯に相当することは上述した通りである。
【００２１】
また、上側部材６０に形成された貫通孔６１の中心軸と、下側部材６５に形成された貫通孔６９の中心軸とは互いに一致する。また、上側部材６０に形成された４個の第１のフック部６４と、下側部材６５に形成された４個の第２のフック部６８とは、互いに対向しそれぞれ対を成す。第１のフック部６４及び第２のフック部６８の対は、それぞれトラッキングコイルを巻回すための４個のトラッキングコイル巻枠部を構成する。
【００２２】
この後、図９に示すように、４個のトラッキングコイル巻枠部にトラッキングコイル７２が巻き回され、図８に示すように対物レンズ５２が取り付けられる。
【００２３】
チルティングコイル７０、フォーカシングコイル７１及びトラッキングコイル７２の端部は、接続端子８１、８２、８３に接続される。ここで、フォーカシングコイル７１及びトラッキングコイル７２の端部が接続される接続端子８１、８２には、さらに、図１０に示すように、上側部材６０に形成された固定部６３にこの固定部６３を貫通した状態で固定されるサスペンションワイヤ５４の一端が夫々接続される。一方、チルティングコイル７０が接続される接続端子には、図１０に示すように、引き出し線８４が接続される。
【００２４】
図１０に示されるように引き出し線８４は固定部６３を貫通して固定された後、下方に折り曲げられて対物レンズホルダ５３の下側部材６５に設けられたチルティングコイル７０用の接続端子８３と接続される。
【００２５】
図１０に、コイル７０，７１及び７２が巻き回され、サスペンションワイヤ５４が取り付けられた対物レンズホルダ５３に、ヨーク５５及び磁石５６を組み合わせた状態を示す。なお、磁石５６は、２極着磁マグネットである。
【００２６】
図１０から容易に理解できるように、ヨーク５５と磁石５６との組み合わせが作り出す磁気回路の磁気ギャップ内に、チルティングコイル７０、フォーカシングコイル７１、及びトラッキングコイル７２の各々の一部が配置されている。これにより、各コイルに流れる電流に応じて、対物レンズホルダ５３は、移動し、また傾動する。即ち、各コイルに流れる電流を制御することにより、チルティング制御、フォーカシング制御及びトラッキング制御を行うことができる。
【００２７】
しかしながら、ウルトラスリムドライブと呼ばれる超薄型の光ディスクドライブの対物レンズ駆動装置は、非対称（Ａｓｙｍｍｅｔｒｙ）タイプで形成している。この非対称タイプでは、加速度の感度を上げることができるが、対物レンズのローリングや、ピッチング、ヨーイング等の不要共振をなくすことは非常に困難である。
【００２８】
一方、対称（Ｓｙｎｍｅｔｒｙ）タイプにすると、不要共振をなくすことは容易であるが、フォーカス及びチルト方向の加速度感度が低くなり、高倍速化が困難であった。
【特許文献１】特開２００１−９３１７７号公報
【特許文献２】特願２００３−１１１９５３
【発明の開示】
【発明が解決しようとする課題】
【００２９】
そこで、本発明の技術的課題は、対称タイプの対物レンズ駆動装置のアクチュエータにおいて、不要共振をなくすとともにフォーカス及びチルト方向の加速度感度を高めることができ、高倍速化することができる対物レンズ駆動装置を提供することにある。
【課題を解決するための手段】
【００３０】
本発明によれば、光ピックアップに用いられ、対物レンズを保持する対物レンズホルダ（２０）と、前記対物レンズホルダ（２０）の中心を通るタンジェンシャル（Ｔｇ）方向である第１の方向の両側部に一端が固定された第１のサスペンションワイヤ（５４）を介して前記対物レンズホルダを弾性的に支持するダンパベース（１０）と、前記対物レンズホルダ（２０）の前記対物レンズ（２０）の周囲に対称的に前記第１の方向両側両端付近に収容されるチルティングコイル（６）及びフォーカシングコイル（７）を有するコイル部材（１６）と、前記対物レンズホルダ（２０）の第１の方向の両側両端付近に夫々設けられたトラッキングコイル（４）と、前記第１の方向で、少なくとも前記コイル部材（１６）を挟み込むように、前記対物レンズホルダ（２０）の前記第１の方向の両端に隣接して配置された２対４個の主磁石（２）と、前記第１の方向に前記一対のコイル部材（１６）に夫々挟み込まれるように配置された２個の補助磁石（１）とを備えていることを特徴とする対物レンズ駆動装置（１００）が得られる。
【００３１】
また、本発明によれば、前記対物レンズ駆動装置（１００）は、前記第１の方向に並んで配置された前記一対の主磁石（２）と前記補助磁石（１）とは互いに打ち消し合う方向の磁界を発生するように配置されるとともに、前記第１の方向に交差するトラッキング（Ｔｒ）方向である第２の方向に対向する夫々の主磁石（２）及び補助磁石（１）は互いに逆の極性を持つように配置されていることを特徴とする対物レンズ駆動装置（１００）が得られる。
【００３２】
また、本発明によれば、前記対物レンズ駆動装置（１００）において、前記対物レンズホルダ（２０）と、前記ダンパーベース（１０）とを前記第１の方向に隣接して搭載するヨークベース（３）を備え、前記ヨークベース（３）は前記レンズホルダ（２０）の前記コイル部材（１６）を夫々貫通するヨーク（５）を備えていることを特徴とする対物レンズ駆動装置（１００）が得られる。
【００３３】
また、本発明によれば、前記対物レンズ駆動装置（１００）において、前記第１のサスペンションワイヤ（５４）は、４本であり、２本づつフォーカス方向である第３の方向に並んで前記対物レンズホルダ（２０）の両側に設けられるとともに、さらに、前記対物レンズホルダ（２０）の中央部付近に一端側が夫々固定され、他端を前記ダンパベース（１０）に固定された２本の第２のサスペンションワイヤ（８）を備えていることを特徴とする対物レンズ駆動装置（１００）が得られる。
【００３４】
また、本発明によれば、前記いずれか一つの対物レンズ駆動装置（１００）を備えていることを特徴とする光ピックアップが得られる。
【００３５】
なお、上記括弧内の参照符号は、単に本発明の理解を容易にするために付したものであって、何ら本発明を限定するものではないことは勿論である。
【発明の効果】
【００３６】
本発明によれば、フォーカス及びチルト方向の加速度感度を上げることができる対物レンズ駆動装置を提供することができる。
【００３７】
また、本発明によれば、不要共振がなく、高倍率化が可能なウルトラスリム（超薄型）ドライブ用の対物レンズ駆動装置を提供することができる。
【発明を実施するための最良の形態】
【００３８】
図１は本発明の実施の形態による対物レンズ駆動装置の斜視図である。また、図２は、図１の対物レンズ駆動装置の要部を示す平面概略図である。図３は図１の対物レンズ駆動装置を斜め上方から眺めた分解組立斜視図である。図４は図１の対物レンズ駆動装置の斜め下方から眺めた分解組立斜視図である。
【００３９】
図１乃至図４に示すように、対物レンズ駆動装置１００は、ダンパベース１０と、対物レンズ３０と、対物レンズホルダ２０と、ダンパベース１０に対して対物レンズホルダ２０を揺動可能に支持する４本の第１のサスペンションワイヤ５４，５４，５４，５４及び２本の第２のサスペンションワイヤ８，８と、ダンパベース１０及び対物レンズホルダ２０を搭載したヨークベース３とヨークベース３に固定された４個の第１の磁石２及び２個の第２の磁石１とを有している。
【００４０】
この対物レンズ駆動装置１００は、図示しない光ディスクドライバの光学ベースに搭載され、光ピックアップを構成する。光学ベースは、光ディスク装置に導入された光ディスクの半径方向（トラッキング方向Ｔｒ）に沿って移動可能にガイドバーに取り付けられている。また、光学ベースには、レーザダイオード、光検出器、及び所定の光学系が取り付けられており、レーザダイオードからのレーザ光が対物レンズ３０を通して光ディスクに照射され、その反射光が光検出器に導かれるように構成されている。
【００４１】
ダンパベース１０のタンジェンシャル（Ｔｇ）方向両側には、第１のサスペンションワイヤを固定するための固定部１２，１３が夫々形成され、また中央寄りの前端には、中心を挟んで両側に固定部１７，１７が形成され、それぞれの固定部１７，１７から、固定溝９がＴｇ方向後端に向かうにつれて互いに開くように、Ｓ字形状に曲がって形成され、さらに、Ｔｇ方向に伸びて後端外側まで貫通している。夫々の固定部１２，１３，１７には、第１及び第２のサスペンションワイヤ５４，８が支持固定される。
【００４２】
対物レンズホルダ２０には、対称的に、チルティングコイル６及びチルティングコイル周囲に巻回されたフォーカシングコイル７からなるコイル部材１６とトラッキングコイル４とを対称的に４組備えており、これら４組のコイル６，７，４に流す電流を適切に制御することにより、対物レンズホルダ２０は、ヨーク３ａ，３ｂ，５及び磁石１，２が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００４３】
図３及び図４に示すように、ヨークベース３は、長さ方向の中央部の２箇所の両側に設けられた４つの板状のヨーク５，５，５，５とＴｇ方向一端に起立して設けられた板状ヨーク３ａ，３ａと、他端寄りに設けられＴｒ方向に両側に渡って設けられた台形状のヨーク３ｂとを備えている。
【００４４】
さらに、ヨークベース３には、ヨーク３ａ，３ｂ夫々に接触するとともに長さ方向に同じ側の磁石は同じ極性、幅方向に隣合う磁石は、互いに相反する極性を有するように、永久磁石（第１の磁石）２，２が設けられている。また中央両側にも、Ｔｇ方向に互いに反する極性を有するように、永久磁石（第２の磁石）１，１が設けられている。
【００４５】
図３及び図４に示すように、対物レンズホルダ２０は、四角の厚い板形状を備え、中央に対物レンズを装着するための装着孔２１と四隅に対称的にコイル部材１６を装着するためのコイル装着孔２２と、第２の磁石１，１が貫通する孔２３を備えている。コイル部材１６はヨークベース３に設けられた板状のヨーク５が夫々貫通する。
【００４６】
対物レンズホルダ２０には、更に，トラッキング方向（Ｔｒ）両端に上下に並んで、サスペンションワイヤ５４を固定するための固定部１１が形成されている。さらに、レンズホルダ２０のタンジェンシャル方向（Ｔｇ）両側には、その端部近傍に、トラッキングコイルを巻回すための２対の巻枠（フック部）２４が、タンジェンシャル方向に沿って突出するとともに、上下方向に夫々並んで合計４対設けられている。
【００４７】
対物レンズホルダ２０には、チルティングコイル６及びフォーカシングコイル７が、この順番で，図示しない巻枠に、巻回されるかもしくは中空状に巻回されてコイル部材１６を構成する。
【００４８】
図２に示すように、チルティングコイル６は、図示しない４個のチルティングコイル巻枠部の夫々に順番に巻回されるか、中空状に巻回される。この後、これらチルティングコイル６が巻回された４個のチルティングコイル巻枠部もしくは空芯状のチルティングコイルの周囲に、フォーカシングコイル７が巻回されてコイル部材１６が形成される。
【００４９】
また、対物レンズホルダ２０のＴｇ方向の両端部両側の巻枠部２４，２４にトラッキングコイル４がそれぞれ巻回されて、３種のコイルは対物レンズホルダ２０に設けられることになる。この後、図３に示すように対物レンズ３０が取り付けられる。
【００５０】
フォーカシングコイル７及びトラッキングコイル４の端部は、夫々対物レンズホルダ２０の両側上下に夫々２づつ設けられた４個の接続端子１１，１１，１１，１１に接続される。ここで、フォーカシングコイル７及びトラッキングコイル７２の端部が接続される接続端子１１，１１には、さらに、図３及び図４に示すように、対物レンズホルダ２０に形成された固定部としての接続端子１１に、この固定部１１を貫通した状態で固定される第１のサスペンションワイヤ５４の一端が夫々接続される。第１のサスペンションワイヤ５４の他端は、ダンパベース１０の両側の前後端に夫々形成された固定部１２，１３を通って固定される。
【００５１】
一方、チルティングコイル６の一端には、途中で段をなして延在する第２のサスペンションワイヤ８の一端に接続される。具体的には、チルティングコイル６は、その先端部が対物レンズホルダ３０の空間内に引き出され、第２のサスペンションワイヤ８の一端でＬ字形状に形成され、さらに、Ｌ字形状の上方に折曲げられた先端部と半田付けされて固定される。
【００５２】
図１に示されるように、第２のサスペンションワイヤ８の他端は、ダンパベース１０の固定部１７及びＳ字状に屈曲した固定溝９を貫通して固定された後、タンパベース１０の後方に突出する。尚、固定部１７，２２には、夫々ダンパ部材１９，１８，２２，が設けられる。
【００５３】
図２に、チルティングコイル６，フォーカシングコイル７，トラッキングコイル４と、主磁石２及び補助磁石１と、ヨーク３ａ，３ｂ，５，５との配置を示す。
【００５４】
図２から容易に理解できるように、Ｔｇ方向にヨーク３ａ，３ｂ，５と主磁石２及び補助磁石１との組み合わせが作り出す磁気回路の磁気ギャップ内に、チルティングコイル６、フォーカシングコイル７、及びトラッキングコイル４の各々の一部が配置されている。主磁石２は、フォーカシングコイル７及びトラッキングコイル４に駆動力を与えるマグネットである。また、補助磁石１は、フォーカシングコイル７、チルティングコイル６の駆動力を補うマグネットである。
【００５５】
即ち、フォーカシングコイル７に関しては、Ｔｇ方向の左右両側のコイルともに、上下方向の同じ方向に駆動力を受ける。また、トラッキングコイル４も同様に、Ｔｇ方向の左右両側のコイルともに、Ｔｒ方向の同じ方向に駆動力を受ける。
【００５６】
しかし、チルトコイルは、タンジェンシャル方向の左右一対のコイルがともに、右と左では、互いに反対方向になるように力を受ける。そのときに、補助磁石１によって、磁力線の方向をヨークのトラック方向外側及び内側に向かうよう屈曲させるので、コイルのＴｒ方向外側及び内側のコイルにも同じ方向の駆動力が加わるために、電磁力を増大させるとともに、第２のサスペンションワイヤ８をＴｒ方向の内側で支持するために、チルト方向の加速度感度を高め，チルティングコイル６による不要共振を防止することができる。
【００５７】
同様に，補助磁石１の配置によって、フォーカシングコイル７についても加速度感度を高めることができる。
【００５８】
したがって、不要共振がなく、高倍速化が可能なウルトラスリム（超薄型）ドライブ用の対物レンズ駆動装置を得ることができる。
【産業上の利用可能性】
【００５９】
本発明に係る対物レンズ駆動装置は、光ディスクドライブの光ピックアップに適用することができる。
【図面の簡単な説明】
【００６０】
【図１】本発明の実施の形態による対物レンズ駆動装置の斜視図である。
【図２】図１の対物レンズ駆動装置の要部を示す平面概略図である。
【図３】図１の対物レンズ駆動装置を斜め上方から眺めた分解組立斜視図である。
【図４】図１の対物レンズ駆動装置の斜め下方から眺めた分解組立斜視図である。
【図５】従来技術１による対物レンズ駆動装置の斜視図である。
【図６】図５の対物レンズ駆動装置の金属製トップカバー５７を取り外した状態を示す斜視図である。
【図７】図５の対物レンズホルダの上側部材６０を示す斜視図である。
【図８】図５の対物レンズホルダの下側部材６５を示す斜視図である。
【図９】図７及び図８の上側及び下側部材を組み合わせて、トラッキングコイルを巻回した状態を示す斜視図である。
【図１０】図９の対物レンズホルダにヨーク及び磁石からなる磁気回路を組み合わせた上体を示す斜視図である。
【符号の説明】
【００６１】
１    第２の磁石
２    第１の磁石
３    ヨークベース
３ａ，３ｂ，５    ヨーク
４    トラッキングコイル
６    チルティングコイル
７    フォーカシングコイル
８    第２のサスペンションワイヤ
９      固定溝
１０    ダンパベース
１１    接続端子
１２，１３，１７    固定部
１６    コイル部材
２０    対物レンズホルダ
２１    装着孔
２２    コイル装着孔
２３    孔
２４    フック部
３０    対物レンズ
５１    ベース
５２    対物レンズ
５３    対物レンズホルダ
５４    第１のサスペンションワイヤ
５５    ヨーク
５６    磁石
６０    上側部材
６１，６９    貫通孔
６２    方形穴
６３    固定部
６４    第１のフック部
６５    下側部材
６６    板状部
６７    チルティングコイル巻枠部
６８    第２のフック部
７０    チルティングコイル
７１    フォーカシングコイル
７２    トラッキングコイル
８１，８２，８３    接続端子
１００    対物レンズ駆動装置
【図１】
2005158161.tif 000003
【図２】
2005158161.tif 000004
【図３】
2005158161.tif 000005
【図４】
2005158161.tif 000006
【図５】
2005158161.tif 000007
【図６】
2005158161.tif 000008
【図７】
2005158161.tif 000009
【図８】
2005158161.tif 000010
【図９】
2005158161.tif 000011
【図１０】
2005158161.tif 000012